(57)【要約】【課題】  留守番機能及び留守中の連絡先が設定されている電話装置に着信した発信側電話装置において、前記留守中の連絡先へ発信するための電話番号や電子メールアドレス等の識別情報のキー入力操作を不要にする。【解決手段】  ボタン電話機4-1 では、留守番機能設定を行う（手順Ｓ１）ことにより、留守中にボタン電話機2-1 から着信（手順Ｓ２）があると、留守中の連絡先の電話番号を送信すること及びその電話番号の登録方法（リダイヤル、ワンタッチダイヤル、電話帳等）の選択を促すメッセージを送信し（手順Ｓ３）、それに対する応答を受信した（手順Ｓ４）後に留守中の連絡先の電話番号を送信する（手順Ｓ５）。留守中の連絡先の電話番号は主装置１の記憶部に記憶される（手順Ｓ６）。留守中の連絡先の電話番号をリダイヤル番号として記憶した場合は、ボタン電話機2-1 のリダイヤルキーを押すことにより、留守中の連絡先（電話機６）に発信する（手順Ｓ８）。【選択図】  図３
2006115215.tif 000002
【特許請求の範囲】
【請求項１】
留守番機能が設定されている相手先電話装置から送信された留守中の連絡先の識別情報を受信する手段と、該受信した識別情報を記憶する手段と、該記憶した識別情報に基づいて前記連絡先へ発信する手段とを備えたことを特徴とする電話装置。
【請求項２】
請求項１記載の電話装置において、前記相手先電話装置に前記識別情報の送信を要求する手段を備えたことを特徴とする電話装置。
【請求項３】
請求項１記載の電話装置において、前記相手先電話装置から送信された留守番機能の設定解除の通知を受信する手段と、該通知の受信に応じて前記記憶された識別情報を消去する手段とを備えたことを特徴とする電話装置。
【請求項４】
留守番機能を設定する手段と、留守中の連絡先の識別情報を設定する手段と、留守番機能が設定されているときの着信に応答して発信元へ前記識別情報を送信する手段を備えたことを特徴とする電話装置。
【請求項５】
請求項４記載の電話装置において、特定の発信元に対してのみ前記識別情報を送信することを特徴とする電話装置。
【発明の詳細な説明】
【技術分野】
【０００１】
本発明は電話装置に関し、特に着信先の電話装置に留守番機能及び留守中の連絡先が設定されていたときに、その連絡先へ電話をかけるための電話番号の入力操作を不要にした電話装置に関する。
【背景技術】
【０００２】
電話装置の付加機能として留守番機能がある。この機能は外出時等のように着信に対して応答して通話することができない場合に、予め設定された音声応答メッセージで自動応答するものである。この音声応答メッセージ中に外出先の電話番号を入れておくことで、その応答メッセージを聞いた発信者にその連絡先へ電話をかけることを可能にした留守番電話装置もある（特許文献１参照）。
【特許文献１】特開平６−１１３００５号公報
【発明の開示】
【発明が解決しようとする課題】
【０００３】
しかしながら、前記留守番電話装置では、応答メッセージ中の連絡先の電話番号を聞いた発信者は、その連絡先へ電話をかけるためには、その電話番号を紙等にメモした後にその電話番号に対応する数字キーの操作を行うことが必要である。このため、メッセージ中の電話番号を聞き違えないよう注意深く聞くこと及び数字キーの操作を誤らないようにすることが必要である。
【０００４】
本発明は、このような問題を解決するためになされたものであり、その目的は、留守番機能及び留守中の連絡先が設定されている電話装置に着信した発信側電話装置にて前記留守中の連絡先へ発信するための電話番号や電子メールアドレス等の識別情報のキー入力操作を不要にすることである。
【課題を解決するための手段】
【０００５】
請求項１に係る発明は、留守番機能が設定されている相手先電話装置から送信された留守中の連絡先の識別情報を受信する手段と、該受信した識別情報を記憶する手段と、該記憶した識別情報に基づいて前記連絡先へ発信する手段とを備えたことを特徴とする電話装置である。
請求項２に係る発明は、請求項１記載の電話装置において、前記相手先電話装置に前記識別情報の送信を要求する手段を備えたことを特徴とする電話装置である。
請求項３に係る発明は、請求項１記載の電話装置において、前記相手先電話装置から送信された留守番機能の設定解除の通知を受信する手段と、該通知の受信に応じて前記記憶された識別情報を消去する手段とを備えたことを特徴とする電話装置である。
請求項４に係る発明は、留守番機能を設定する手段と、留守中の連絡先の識別情報を設定する手段と、留守番機能が設定されているときの着信に応答して発信元へ前記識別情報を送信すると手段を備えたことを特徴とする電話装置である。
請求項５に係る発明は、請求項４記載の電話装置において、特定の発信元に対してのみ前記識別情報を送信することを特徴とする電話装置である。
【０００６】
（作用）
留守番機能及び留守中の連絡先の識別情報が設定されている電話装置に着信すると、着信側の電話装置はその識別情報を発信元の電話装置へ送信し、発信元の電話装置はその識別情報を受信して記憶し、記憶した識別情報に基づいて留守中の連絡先へ発信する。
【発明の効果】
【０００７】
本発明によれば、留守番機能及び留守中の連絡先が設定されている電話装置に着信した発信側電話装置は、着信側電話装置から送信された留守中の連絡先の識別情報を受信して記憶し、記憶した識別情報に基づいて留守中の連絡先へ発信するので、その留守中の連絡先へ発信するための電話番号や電子メールアドレス等の識別情報のキー入力操作が不要になる。
【発明を実施するための最良の形態】
【０００８】
以下、本発明の実施形態について図面を参照して説明する。
［第１の実施形態］
図１は本発明の第１の実施形態に係る通信システムの構成を示している。この通信システムは、主装置１とその内線に収容されたｎ台のボタン電話機2-1 〜2-n （ｎは２以上の整数）とからなるボタン電話装置と、主装置３とその内線に収容されたｍ台のボタン電話機4-1 〜4-m （ｍは２以上の整数）とからなるボタン電話装置とが、通信網５を介して接続されている。通信網５は、有線及び無線の公衆電話回線、専用線、ＬＡＮ等である。また、通信網５には固定電話機や携帯電話機などの電話機６が接続されている。
【０００９】
主装置１は、この主装置１全体の制御等を行う制御部11と、通信網５側の電話回線を終端制御する外線インタフェース部12と、内線伝送路を介してボタン電話機2-1 〜2-n を収容する内線インタフェース部13と、外線インタフェース部12と内線インタフェース部13とを交換接続する交換処理部14と、制御部11での制御に必要な各種制御情報、外線情報、内線情報等を関連付けて記憶する記憶部15とを備えている。同様に、主装置３は、この主装置３全体の制御等を行う制御部31と、通信網５側の電話回線を終端制御する外線インタフェース部32と、内線伝送路を介してボタン電話機4-1 〜4-m を収容する内線インタフェース部33と、外線インタフェース部32と内線インタフェース部33とを交換接続する交換処理部34と、制御部31での制御に必要な各種制御情報、外線情報、内線情報等を関連付けて記憶する記憶部35とを備えている。
【００１０】
主装置１の記憶部15は、図２（ａ）に示すように、電話帳データの記憶エリア15a 、リダイヤル番号の記憶エリア15b 、ワンタッチダイヤル番号の記憶エリア15c を備えている。なお、これらの記憶エリアは、ｎ台のボタン電話機毎に設けられている。主装置３の記憶部35は、図２（ｂ）に示すように、留守中の連絡先の電話番号データの記憶エリア35a 、及び各種応答メッセージの記憶エリア35b を備えている。
【００１１】
以上の構成を有する通信システムの動作について、図３のシーケンス図を参照しながら説明する。ここでは、主装置１に収容されたボタン電話機2-1 が主装置３に収容されたボタン電話機4-1 に発信した場合であり、かつボタン電話機4-1 に本実施形態に係る留守番機能、即ち留守番機能設定時の連絡先の電話番号等に対して、発信側端末であるボタン電話機2-1 からその電話番号を入力することなく、リダイヤルキーやワンタッチダイヤルキーの操作により、簡単に発信可能にするための設定がなされている場合の動作を説明する。
【００１２】
まず、ボタン電話機4-1 のユーザは、外出等で留守になるため、予め定められたキー操作により留守番機能設定を行う。この操作の結果は主装置３の内線インタフェース部33に送られ、制御部31により検出される。制御部31は記憶部35の記憶エリア35a に留守番機能設定時の連絡先の電話番号（外出先の固定電話機の電話番号、携帯電話機の電話番号）を記憶する（手順Ｓ１）。ここで、連絡先の電話番号は、留守番機能の設定を行うときに、数字キーを用いて入力するようにしてもよいし、予め記憶部35に記憶しておいた連絡先を指定するように構成してもよい。
【００１３】
発信側のボタン電話機2-1 において、ユーザが着信側のボタン電話機4-1 の電話番号を入力して発信操作を行うと、主装置１の内線インタフェース部13、交換処理部14及び外線インタフェース部12並びに通信網５を経由して発信が行われる（手順Ｓ２）。この発信は、主装置３の外線インタフェース部32に着信する。主装置３では、ボタン電話機4-1 により留守番機能設定操作が行われたので、制御部31は記憶部35の各種メッセージ記憶エリア35b から、発信端末であるボタン電話機2-1 に対して、留守中の連絡先の電話番号の登録方法の入力を促すためのメッセージを読み出し、送信する（手順Ｓ３）。このメッセージは例えば以下のようなものである。”只今出掛けております。外出先の電話番号は０３−１２３４−５６７８です。この電話番号をリダイヤルに登録するときは１、ワンタッチダイヤルに登録するときは２、電話帳に登録するときは３、登録しないときは４を押して下さい。”
【００１４】
ボタン電話機2-1 のユーザは、前記メッセージに従って所望の数字キーを押して登録方法指定操作を行う。この操作に基づいて、主装置１から通信網５を経由して主装置３へ登録方法を示す情報が送信される（手順Ｓ４）。主装置３では、ボタン電話機2-1 のユーザが登録を希望した場合は、制御部31がエリア35a に記憶されている電話番号データを読み出し、ＰＢ信号として主装置１へ送信すると共にこの電話番号データをステップＳ４で選択した登録方法で登録するように指示するための指示信号を送信する（手順Ｓ５）。主装置１では、ＰＢ信号が外線インタフェース部12で受信され、制御部11へ送られる。制御部11はＰＢ信号から留守中の連絡先の電話番号をデコードし、選択した登録方法に対応する記憶エリアに記憶する（手順Ｓ６）。主装置３はＰＢ信号として主装置１へ送信した後に回線を切断する（手順Ｓ７）。なお、回線の切断は、主装置１からＰＢ信号が受信できたことの確認応答を受信した後に行うようにしてもよい。また、電話番号データの登録を指示する指示信号の送信を手順Ｓ３において実行してもよい。
【００１５】
次にボタン電話機2-1 のユーザは、手順Ｓ４で選択した登録方法に応じて、留守中の連絡先へ発信するための発信操作を行う。この発信操作は主装置１の内線インタフェース部13に送られ、制御部11により検出される。制御部11は記憶部15の記憶エリア15a から留守中の連絡先の電話番号を読み出し、外線インタフェース部12及び通信網５経由で発信する（手順Ｓ８）。例えばリダイヤルに登録した場合には、ユーザがボタン電話機2-1 のリダイヤルキーを押し、主装置１の制御部11は記憶部15のリダイヤル番号記憶エリア15b から留守中の連絡先の電話番号を読み出し、そこへ発信する。図３では留守中の連絡先が電話機６であり、電話機６に着信する。
【００１６】
その後、ボタン電話機4-1 のユーザが外出先から戻り、留守番機能を解除する操作を行うと、この操作の結果は主装置３の内線インタフェース部33に送られ、制御部31により検出される。制御部31は記憶部35の記憶エリア35a に記憶されていた留守中の連絡先の電話番号を消去する（手順Ｓ９）。また、主装置３は主装置１に対して、留守番機能設定が解除されたことを通知する（手順Ｓ１０）。主装置１では、この通知が外線インタフェース部12で受信され、制御部11へ送られる。制御部11は留守番機能が解除されたことを知ると、記憶部15の記憶エリア15b に記憶されている電話機６の電話番号を消去する。ここで、手順Ｓ１０の操作は、主装置１と主装置３とが同一システム内に配置されている場合に好適である。同一システムとは、主装置１と主装置３とが専用線又はＬＡＮ等で接続されており、主装置１に収容されているボタン電話機と主装置３に収容されているボタン電話機の各々に固有の内線番号が割り付けられており、異なる主装置に収容されたボタン電話機間で通話を行うときは、予め定めたシステム内の接続であることを示す番号（例えば「００１」）をダイヤルし、次に相手先のボタン電話機の内線番号をダイヤルすることで呼出が可能に構成されたシステムである。
【００１７】
このように、本実施形態によれば、主装置１に収容された任意のボタン電話機が発信した相手先が留守であり、かつ留守中の連絡先が設定されている場合に、その相手先から送信された留守中の連絡先の電話番号を受信し、リダイヤル番号データやワンタッチダイヤル番号データ等として記憶するので、留守中の連絡先に発信するときに、その電話番号の数字キーを押す操作が不要になる。
【００１８】
なお、以上の実施形態では、ボタン電話機2-1は、ボタン電話機4-1から送信された留守番機能の設定解除の通知を受信し、留守中の連絡先の電話番号を消去しているが、留守中の連絡先の電話番号へ発信すると自動的に消去するように構成してもよい。また、１回発信したときにリダイヤルに登録するようにしてもよい。さらに、ワンタッチダイヤルや電話帳は、一時的に記憶しておき、登録操作を行うことにより登録するように構成してもよい。また、表示付きフレキシブルキーを備えたボタン電話機の場合は、ワンタッチダイヤルについては、空いているワンタッチダイヤルキーや使用していないフレキシブルキーに割り付け表示するようにしてもよい。また、以上の実施形態では、留守中の連絡先として電話装置及び電話番号を例示したが、ボタン電話装置に電子メールの送受信機能を付加するとともに、留守中の連絡先を携帯電話装置や携帯型コンピュータの電子メールアドレスにしてもよい。さらに、その連絡先情報を主装置３から主装置１へ電子メールにより送信してもよい。また、主装置３は留守中の全ての着信の発信元に対して連絡先情報を送信するのではなく、特定の相手例えば着信者の発信者番号が記憶部35内に電話帳データ又はワンタッチダイヤルデータとして登録されていた相手、前述した同一システム内の相手、に対してのみ連絡先情報を送信するように構成してもよい。また、本発明はボタン電話装置だけでなく一般の固定電話装置及び携帯電話装置にも適用できる。
【００１９】
［第２の実施形態］
図４は本発明の第２の実施形態に係る通信システムの動作を示すシーケンス図である。この図において、手順Ｓ８迄は第１の実施形態（図３）と同じである。また、通信システムの構成も第１の実施形態（図１）と同じである。
【００２０】
図４に示すように、本発明の第２の実施形態では、第１の実施形態においてさらに主装置１に収容されているボタン電話機2-1 以外のボタン電話機（ここではボタン電話機2-2 とする） のユーザがボタン電話機4-1 の電話番号を操作キーから入力して発信操作を行ったときに、主装置１の制御部11はその電話番号が記憶部15に記憶されている留守中の電話装置（留守番機能が設定されている電話装置）の電話番号であるか否かを判断し、そうであった場合はその留守中の連絡先へ外線インタフェース部12及び通信網５経由で発信する（手順Ｓ１３）ように構成した。
【００２１】
このように本実施形態によれば、主装置１に収容された任意のボタン電話機が発信した相手先が留守であり、かつ留守中の連絡先が設定されている場合に、その相手先から送信された留守中連絡先の電話番号が主装置１の記憶部15に記憶されているときは、その主装置１に収容されている他のボタン電話機のユーザが相手先の留守を知らずに電話をかけたとしても、自動的に留守中の連絡先に発信し、連絡をとることができる。ここで、相手先の留守を知らずにその相手先の電話番号を入力したときに、ボタン電話機のユーザに対して、例えば”お掛けになった電話番号の相手は只今外出中です。外出先の電話番号は０３−１２３４−５６７８です。この電話番号に発信するときは１、発信を停止するときは２を押して下さい。”のようなメッセージを聞かせ、ユーザに発信の許可を求めるようにしてもよい。また、留守中の連絡先を全ボタン電話機に共通の電話帳に登録し、任意のボタン電話機のユーザが発信のためにオフフックしたときに、その不在者に関する情報（氏名、電話番号等）及び留守中の連絡先（電話番号、電子メールアドレス等）を表示し、電話帳を用いて発信できるように構成してもよい。
【図面の簡単な説明】
【００２２】
【図１】本発明の第１の実施形態に係る通信システムの構成を示す図である。
【図２】図１における主装置の記憶部の記憶エリアの内容を示す図である。
【図３】図１の通信システムの動作を示すシーケンス図である。
【図４】本発明の第２の実施形態に係る通信システムの動作を示すシーケンス図である。
【符号の説明】
【００２３】
１、３・・・主装置、2-1 〜2-n 、4-1 〜4-m ・・・ボタン電話機、５・・・通信網、６・・・電話機、12、32・・・外線インタフェース部、15、35・・・記憶部。
【図１】
2006115215.tif 000003
【図２】
2006115215.tif 000004
【図３】
2006115215.tif 000005
【図４】
2006115215.tif 000006